(57)【要約】【課題】本発明は、複数のＬＥＤストリングスに流れる直流電流を一定にし、ＬＥＤストリングスの順方向電圧が異なっていても同一の電流を供給するＬＥＤバックライト装置を提供する。【解決手段】本発明のＬＥＤバックライト装置は、交流電圧を出力するインバータと、複数の一次側巻線がループ状に直列に接続され、複数の二次側巻線が並列に配置され、複数の二次側巻線の各一端部がインバータの出力段に並列に接続され、交流電流を出力する複数のトランスと、複数のトランスの二次側巻線の各他端部に各々接続され、複数のトランスから各々出力される交流電流を整流して正電流及び負電流を各々出力する複数の整流回路と、複数の整流回路の出力段に各々接続され、整流された正電流及び負電流を各々平滑して直流正電流及び直流負電流を出力する複数の平滑回路と、複数の平滑回路の各出力段に各々接続される複数のＬＥＤストリングスと、を備える。【選択図】図１
2012133907.tif 000002
【特許請求の範囲】
【請求項１】
入力段が直流電源に接続されて交流電圧を出力するインバータと、
複数の一次側巻線がループ状に直列に接続され、複数の二次側巻線が並列に配置され、前記複数の二次側巻線の各一端部が前記インバータの出力段に並列に接続され、交流電流を出力する複数のトランスと、
前記複数のトランスの二次側巻線の各他端部に各々接続され、前記複数のトランスから各々出力される交流電流を整流して正電流及び負電流を各々出力する複数の整流回路と、
前記複数の整流回路の出力段に各々接続され、前記整流された正電流及び負電流を各々平滑して直流正電流及び直流負電流を出力する複数の平滑回路と、
前記複数の平滑回路の各出力段に各々接続され、複数のＬＥＤを各々有する複数のＬＥＤストリングスと、を備えることを特徴とするＬＥＤバックライト装置。
【請求項２】
前記複数の整流回路は、前記直流正電流を出力する第１の整流素子及び前記直流負電流を出力する第２の整流素子により各々構成され、
前記複数のＬＥＤストリングスは、前記第１の整流素子の出力段に前記平滑回路を介してアノード電極が接続された第１のＬＥＤストリングスと、前記第２の整流素子の出力段に前記平滑回路を介してカソード電極が接続された第２のＬＥＤストリングスと、を含むことを特徴とする請求項１記載のＬＥＤバックライト装置。
【請求項３】
前記第１のＬＥＤストリングスのカソード電極及び前記第２のＬＥＤストリングスのアノード電極は共通の接地部に接続されたことを特徴とする請求項２記載のＬＥＤバックライト装置。
【請求項４】
前記複数のトランスは、前記一次側巻線及び前記二次側巻線に各々流れる交流電流が同一になるように前記一次側巻線及び前記二次側巻線の各インダクタンスを調整することを特徴とする請求項１記載のＬＥＤバックライト装置。
【請求項５】
入力段が直流電源に接続されて交流電圧を出力するインバータと、
一次側巻線と二次側巻線が互いに逆方向に巻回され、前記一次側巻線の一端部と前記二次側巻線の一端部が前記インバータの出力段に並列に接続され、交流電流を出力するトランスと、
前記一次側巻線の他端部と前記二次側巻線の他端部に各々接続され、前記一次側巻線の他端部と前記二次側巻線の他端部から各々出力される交流電流を整流して正電流及び負電流を各々出力するする複数の整流回路と、
前記複数の整流回路の出力段に各々接続され、前記整流された正電流及び負電流を各々平滑して直流正電流及び直流負電流を出力する複数の平滑回路と、
前記複数の平滑回路の出力段に各々接続され、複数のＬＥＤを各々有する複数のＬＥＤストリングスと、を備えることを特徴とするＬＥＤバックライト装置。
【請求項６】
前記複数の整流回路は、前記直流正電流を出力する第１の整流素子及び前記直流負電流を出力する第２の整流素子により各々構成され、
前記複数のＬＥＤストリングスは、前記第１の整流素子の出力段に前記平滑回路を介してアノード電極が接続された第１のＬＥＤストリングスと、前記第２の整流素子の出力段に前記平滑回路を介してカソード電極が接続された第２のＬＥＤストリングスと、を含むことを特徴とする請求項５記載のＬＥＤバックライト装置。
【請求項７】
前記第１のＬＥＤストリングスのカソード電極及び前記第２のＬＥＤストリングスのアノード電極は共通の接地部に接続されたことを特徴とする請求項６記載のＬＥＤバックライト装置。
【請求項８】
請求項１乃至７の何れか一項に記載のＬＥＤバックライト装置を備えることを特徴とする液晶表示装置。
【発明の詳細な説明】
【技術分野】
【０００１】
本発明は、液晶表示装置の光源に使用する複数のＬＥＤを点灯させるＬＥＤバックライト装置に関する。
【背景技術】
【０００２】
従来、液晶表示装置(ＬＣＤ)は、軽量、薄型、低消費電力駆動等の機能が求められてきた。液晶表示装置は、自発光表示装置ではないため光源が必要になる。近時、光源としてはＬＥＤが使用されている。例えば、図９（Ａ）に示すＬＥＤバックライト装置１００がある。このＬＥＤバックライト装置１００は、直流電源１０１と、ＤＣコンバータ１０２と、ボトム検出回路１０３と、ＬＥＤストリング１０４〜１０７と、電流駆動回路１０８〜１１１と、を備える。
【０００３】
ＤＣコンバータ１０２は、直流電源１０１から供給される直流電圧をＬＥＤストリングス１０４〜１０７の点灯に必要な直流電圧に変換してＬＥＤストリング１０４〜１０７に供給する。電流駆動回路１０８は、図９（Ｂ）に示すように、エラーアンプ１０８ａと、ＦＥＴ１０８ｂと、抵抗Ｒにより構成される。電流駆動回路１０９〜１１１も同様に図９（Ｂ）に示す回路構成を有する。電流駆動回路１０８〜１１１は、ＬＥＤストリングス１０４〜１０７からＦＥＴ１０８ｂのソース電極に流れる電流を抵抗Ｒで検出し、その検出電圧と基準電圧ＲＥＦとをエラーアンプ１０８ａで比較してＦＥＴ１０８ｂのゲート電極に供給する電圧を制御する。このゲート電極の制御により抵抗Ｒに流れる電流を一定に制御して、ＦＥＴ１０８ｂのドレイン電極に流れる電流を一定に制御することにより、ＬＥＤストリングス１０４〜１０７に流れる電流を一定に制御する。
【０００４】
ボトム検出回路１０３は、ＬＥＤストリングス１０４〜１０７の最下端カソード電圧のうち最小値を検出し、その最小値検出信号をＤＣコンバータ１０２に出力する。ＬＥＤストリングス１０４〜１０７を構成する各ＬＥＤは、個体差により順方向電圧が異なる。このため、電流駆動回路１０８〜１１１により各ＬＥＤストリングス１０４〜１０７に流れる電流を一定に制御したとしても各ＬＥＤストリングス１０４〜１０７の順方向電圧は異なる。このため、ＤＣコンバータ１０２は、ＬＥＤストリングス１０４〜１０７のうち、順方向電圧が最大のもの以上の直流電圧を供給する必要がある。ＬＥＤの順方向電圧のバラツキは、ＬＥＤストリングス１０４〜１０７の周辺温度差によっても発生する。そこで、ボトム検出回路１０３は、ＬＥＤストリングス１０４〜１０７の最下端カソード電圧のうち最小値を検出し、その最小値検出信号をＤＣコンバータ１０２に出力することにより、ＬＥＤストリングス１０４〜１０７に供給する直流電圧が必要最低限の値になるように調整している。すなわち、ＤＣコンバータ１０２は、ボトム検出回路１０３から入力される最小値検出信号の電圧レベルが一定になるようにＬＥＤストリング１０４〜１０７に供給する直流電圧レベルを調整している。
【０００５】
また、上記以外のＬＥＤバックライト用の駆動回路としては、例えば、特許文献１に記載されたＬＥＤ駆動装置がある。このＬＥＤ駆動装置では、各直列ＬＥＤ群の端子電圧を検出して、全体で必要な電源電圧になるように制御して、低消費電力駆動を行っている。
【０００６】
また、特許文献２に記載された発光ダイオード点灯装置では、並列に接続された複数の昇圧回路から直列ＬＥＤ群に交互に電流を出力し、直列ＬＥＤ群は抵抗を介して接地し、抵抗に発生する電圧を一定にするようにフィードバック制御を行っている。
【０００７】
また、特許文献３に記載されたＬＥＤ駆動回路では、２つのコイルの一端部同士がタップを介して接続された分流コイルと、その分流コイルの一端部及び他端部にそれぞれ逆流防止ダイオードを介して直列ＬＥＤ群を接続し、各ＬＥＤ回路における光量の不揃い、電流値の相違による温度上昇や寿命差の発生を抑制するとしている。
【先行技術文献】
【特許文献】
【０００８】
【特許文献１】特開２００７−２０８１１３号公報
【特許文献２】再表２００７／０６９３７１号公報
【特許文献３】特開２００６−３１９２２１号公報
【発明の概要】
【発明が解決しようとする課題】
【０００９】
しかしながら、上述したＬＥＤバックライト装置１００では、電流駆動回路１０８〜１１１は、ＦＥＴ１０８ｂのドレイン電極に流れる電流を一定に制御する定電流回路である。ＬＥＤバックライト装置１００では、定電流回路の出力電圧と定電流値の積で損失が決定する。定電流回路の出力電圧が高くなると、電力損失が大きくなり発熱する。ＬＥＤストリングス１０４〜１０７の順方向電圧のバラツキが大きいと、ＤＣコンバータ１０２から供給される直流電圧が過大になり、電流駆動回路１０８〜１１１の出力電圧が高くなり、発熱するという問題があった。このような問題は、上述の特許文献１〜３の各装置を利用したとしても解決することはできない。
【００１０】
また、上述したＬＥＤバックライト装置１００では、フィードバック回路としてボトム検出回路１０３が必要であり、上述の特許文献１〜３の各装置においてもＬＥＤ群の端子電圧や電流を検出するフィードバック回路が必要であり、制御系が複雑化して回路内のパラメータ調整が煩雑になるという問題もあった。
【００１１】
本発明の目的は、複数のＬＥＤストリングスに流れる直流電流をほぼ同一にし、ＬＥＤストリングスの順方向電圧が異なっていても同一の電流を供給するＬＥＤバックライト装置を提供することである。
【課題を解決するための手段】
【００１２】
本発明の一実施の形態に係るＬＥＤバックライト装置は、入力段が直流電源に接続されて交流電圧を出力するインバータと、複数の一次側巻線がループ状に直列に接続され、複数の二次側巻線が並列に配置され、前記複数の二次側巻線の各一端部が前記インバータの出力段に並列に接続され、交流電流を出力する複数のトランスと、前記複数のトランスの二次側巻線の各他端部に各々接続され、前記複数のトランスから各々出力される交流電流を整流して正電流及び負電流を各々出力する複数の整流回路と、前記複数の整流回路の出力段に各々接続され、前記整流された正電流及び負電流を各々平滑して直流正電流及び直流負電流を出力する複数の平滑回路と、前記複数の平滑回路の各出力段に各々接続され、複数のＬＥＤを各々有する複数のＬＥＤストリングスと、を備えることを特徴とする。このＬＥＤバックライト装置によれば、複数のＬＥＤストリングスに各々流れる電流をほぼ同一にすることができ、複数のＬＥＤストリングスの順方向電圧が異なっていても電流を均等にすることができる。
【００１３】
また、前記複数の整流回路は、前記直流正電流を出力する第１の整流素子及び前記直流負電流を出力する第２の整流素子により各々構成され、前記複数のＬＥＤストリングスは、前記第１の整流素子の出力段に前記平滑回路を介してアノード電極が接続された第１のＬＥＤストリングスと、前記第２の整流素子の出力段に前記平滑回路を介してカソード電極が接続された第２のＬＥＤストリングスと、を含んでもよい。このＬＥＤバックライト装置によれば、複数のＬＥＤストリングスに各々流れる電流をほぼ同一にすることができ、複数のＬＥＤストリングスの順方向電圧が異なっていても電流を均等にすることができる。
【００１４】
また、前記第１のＬＥＤストリングスのカソード電極及び前記第２のＬＥＤストリングスのアノード電極は共通の接地部に接続されてもよい。このＬＥＤバックライト装置によれば、グランド配線に関わる構成を簡略化することが可能になる。
【００１５】
また、前記複数のトランスは、前記一次側巻線及び前記二次側巻線に各々流れる交流電流が同一になるように前記一次側巻線及び前記二次側巻線の各インダクタンスを調整してもよい。このＬＥＤバックライト装置によれば、複数のＬＥＤストリングスに各々流れる電流をほぼ同一にすることができ、複数のＬＥＤストリングスの順方向電圧が異なっていても電流を均等にすることができる。
【００１６】
本発明の一実施の形態に係るＬＥＤバックライト装置は、入力段が直流電源に接続されて交流電圧を出力するインバータと、一次側巻線と二次側巻線が互いに逆方向に巻回され、前記一次側巻線の一端部と前記二次側巻線の一端部が前記インバータの出力段に並列に接続され、交流電流を出力するトランスと、前記一次側巻線の他端部と前記二次側巻線の他端部に各々接続され、前記一次側巻線の他端部と前記二次側巻線の他端部から各々出力される交流電流を整流して正電流及び負電流を各々出力するする複数の整流回路と、前記複数の整流回路の出力段に各々接続され、前記整流された正電流及び負電流を各々平滑して直流正電流及び直流負電流を出力する複数の平滑回路と、前記複数の平滑回路の出力段に各々接続され、複数のＬＥＤを各々有する複数のＬＥＤストリングスと、を備えることを特徴とする。このＬＥＤバックライト装置によれば、複数のＬＥＤストリングスに各々流れる電流をほぼ同一にすることができ、複数のＬＥＤストリングスの順方向電圧が異なっていても電流を均等にすることができる。
【００１７】
また、前記複数の整流回路は、前記直流正電流を出力する第１の整流素子及び前記直流負電流を出力する第２の整流素子により各々構成され、前記複数のＬＥＤストリングスは、前記第１の整流素子の出力段に前記平滑回路を介してアノード電極が接続された第１のＬＥＤストリングスと、前記第２の整流素子の出力段に前記平滑回路を介してカソード電極が接続された第２のＬＥＤストリングスと、を含んでもよい。このＬＥＤバックライト装置によれば、複数のＬＥＤストリングスに各々流れる電流をほぼ同一にすることができ、複数のＬＥＤストリングスの順方向電圧が異なっていても電流を均等にすることができる。
【００１８】
また、前記第１のＬＥＤストリングスのカソード電極及び前記第２のＬＥＤストリングスのアノード電極は共通の接地部に接続されてもよい。このＬＥＤバックライト装置によれば、グランド配線に関わる構成を簡略化することが可能になる。
【発明の効果】
【００１９】
本発明によれば、電圧フィードバック回路を必要とせず発熱を伴う回路を具備することなく複数のＬＥＤストリングスに各々流れる直流電流をほぼ同一にすることができる。
【図面の簡単な説明】
【００２０】
【図１】本発明の実施形態１に係るＬＥＤバックライト装置の回路構成を示す図である。
【図２】図１のＬＥＤバックライト装置の動作をシミュレーションするためのシミュレーション回路の構成例を示す図である。
【図３】図２のシミュレーション回路の各部の信号を示す図である。
【図４】本発明の実施形態２に係るＬＥＤバックライト装置の回路構成を示す図である。
【図５】図４のＬＥＤバックライト装置の動作をシミュレーションするためのシミュレーション回路の構成例を示す図である。
【図６】図５のシミュレーション回路の各部の信号を示す図である。
【図７】本発明の実施形態３に係る液晶表示装置の要部構成を示すブロック図である。
【図８】本発明の実施形態３に係る液晶表示装置の構造を示す分解斜視図である。
【図９】（Ａ）は従来のＬＥＤバックライト装置の回路構成を示す図、（Ｂ）は（Ａ）の電流駆動回路の回路構成を示す図である。
【発明を実施するための形態】
【００２１】
（実施形態１）
以下、本発明の実施形態１に係るＬＥＤバックライト装置について、図面を参照しながら詳細に説明する。
【００２２】
＜回路構成＞
図１は、実施形態１に係るＬＥＤバックライト装置２００の回路構成を示す図である。図１において、ＬＥＤバックライト装置２００は、直流電源２０１と、インバータ２０２と、トランス２０３〜２０４と、整流回路２０６〜２０８と、ＬＥＤストリングス２０９〜２１４と、コンデンサＣ１〜Ｃ６と、を備える。なお、ＬＥＤバックライト装置２００では、６つのＬＥＤストリングス２０９〜２１４を駆動するための回路構成を示しているが、ＬＥＤストリングスの数は６つより多くても良いし、少なくても良い。すなわち、液晶表示装置のサイズ等に応じてＬＥＤストリングスの数は適宜変更されるため、ＬＥＤバックライト装置２００におけるトランス、整流回路及びコンデンサの各数は適宜変更される。
【００２３】
インバータ２０２は、入力段に直流電源２０１が接続され、出力段にトランス２０３〜２０５の各二次側巻線の一端部が並列に接続されている。インバータ２０２は、直流電源２０１から供給される直流電圧を所定周波数及び所定振幅の交流電圧に変換してトランス２０３〜２０５に供給する。
【００２４】
トランス２０３〜２０５は、各々一次側巻線がループ状に直列に接続され、各々二次側巻線の他端部が整流回路２０６〜２０８の各入力段に接続されている。トランス２０３〜２０５は、一次側巻線と二次側巻線の巻数比は同一である。トランス２０３〜２０５の一次側巻線はループ状に直列に接続されているため、各一次側巻線に流れる交流電流は同一になる。したがって、インバータ２０２により交流駆動されるトランス２０３〜２０５の各二次側巻線に流れる交流電流も同一に制御される。トランス２０３〜２０５は、同一の交流電流を整流回路２０６〜２０８に各々出力する。これらトランス２０３〜２０５の巻数比は、ＬＥＤストリングス２０９〜２１４を点灯させる直流電圧値を考慮して設定される。また、トランス２０３〜２０５は、一次側巻線及び二次側巻線に各々流れる交流電流が同一になるように一次側巻線及び二次側巻線の各インダクタンスを調整している。
【００２５】
整流回路２０６〜２０８は、２つのダイオードＤ１及びＤ４、Ｄ２及びＤ５、Ｄ３及びＤ６により各々構成され、一方のダイオード(第１の整流素子)Ｄ１、Ｄ２及びＤ３のアノード電極と他方のダイオード(第２の整流素子)Ｄ４、Ｄ５及びＤ６の各カソード電極がトランス２０３〜２０５の各二次側巻線の他端部に接続され、一方のダイオードＤ１、Ｄ２及びＤ３の各カソード電極がコンデンサＣ１、Ｃ５及びＣ６に接続され、他方のダイオードＤ４、Ｄ５及びＤ６の各アノード電極がコンデンサＣ２、Ｃ３及びＣ４に接続されている。整流回路２０６〜２０８は、トランス２０３〜２０５から各々入力される交流電流を正電流及び負電流に整流する。
【００２６】
コンデンサ（平滑回路）Ｃ１、Ｃ５及びＣ６は、整流された正電流を平滑して直流正電流としてＬＥＤストリングス２０９、２１１及び２１３に供給し、コンデンサ（平滑回路）Ｃ２、Ｃ３及びＣ４は、整流された負電流を平滑して直流負電流としてＬＥＤストリングス２１０、２１２及び２１４に供給する。
【００２７】
ＬＥＤストリングス２０９〜２１４は、各々１２個のＬＥＤが直列に接続されて構成されている。ＬＥＤストリングス(第１のＬＥＤストリングス)２０９、２１１及び２１３は各アノード電極が整流回路２０６〜２０８の各ダイオードＤ１、Ｄ２及びＤ３のカソード電極とコンデンサＣ１、Ｃ５及びＣ６との接続ノードに接続されている。ＬＥＤストリングス(第２のＬＥＤストリングス)２１０、２１２及び２１４は各カソード電極が整流回路２０６〜２０８の各ダイオードＤ４、Ｄ５及びＤ６のアノード電極とコンデンサＣ２、Ｃ３及びＣ４との接続ノードに接続されている。また、ＬＥＤストリングス２０９、２１１及び２１３の各カソード電極とＬＥＤストリングス２１０、２１２及び２１４の各アノード電極は、共通の接地部に接続されている。ＬＥＤストリングス２０９〜２１４は、各々１２個のＬＥＤを直列接続した構成を示しているが、ＬＥＤの直列接続数は１２個より多くしても良いし、少なくしても良い。すなわち、液晶表示装置のサイズ等に応じてＬＥＤの直列接続数は適宜変更される。
【００２８】
＜回路動作＞
まず、インバータ２０２では、直流電源２０１から供給される直流電圧ＶＩＮが所定周波数及び所定振幅の交流電圧に変換されてトランス２０３〜２０５の各二次側巻線の一端部に供給される。トランス２０３〜２０５の各二次側巻線は供給され交流電圧により駆動され、トランス２０３〜２０５のループ状に直列に接続された各一次側巻線に同一の交流電流が流れるとともに、各二次側巻線にも同一の交流電流が流れる。
【００２９】
トランス２０３〜２０５では、各二次側巻線の他端部に接続された整流回路２０６〜２０８に対して同一の交流電流が出力される。整流回路２０６〜２０８では、トランス２０３〜２０５から各々入力される交流電流がダイオードＤ１及びＤ４、Ｄ２及びＤ５、Ｄ３及びＤ６の各組により正電流と負電流に整流される。コンデンサＣ１〜Ｃ６は、整流回路２０６〜２０８により整流された正電流及び負電流を平滑して直流正電流及び直流負電流としてＬＥＤストリングス２０９〜２１４に供給する。したがって、ＬＥＤストリングス２０９〜２１４には同一の直流正電流と同一の直流負電流が供給されて、ＬＥＤストリングス２０９〜２１４は点灯される。
【００３０】
以上のように、本発明の実施形態１に係るＬＥＤバックライト装置２００では、図９に示した従来のＬＥＤバックライト装置１００のように電流駆動回路１０７〜１０９を用いることなく、定電流回路が構成されるため、回路構成が簡略化でき、発熱損失を低減できる。また、本発明の実施形態１に係るＬＥＤバックライト装置２００では、図９に示した従来のＬＥＤバックライト装置１００のようにボトム検出回路１０３が不要であり、インバータ２０２から出力される交流電流を安定化させるだけで、ＬＥＤストリングス２０９〜２１４に各々流れる電流を一定に制御することができる。さらに、本発明の実施形態１に係るＬＥＤバックライト装置２００では、トランス２０３〜２０５、整流回路２０６〜２０８及びコンデンサＣ１〜Ｃ６による定電流出力をＬＥＤストリングス２０９〜２１４の各アノード電極及び各カソード電極に接続するため、ＬＥＤストリングス２０９〜２１４の各カソード電極及び各アノード電極を接地することができる。このため、ＬＥＤストリングス２０９〜２１４の各カソード電極及び各アノード電極を共通のグランドとして、例えば、液晶表示装置の筐体に接続することが容易になり、グランド配線を引き回す必要がなくなる。なお、図９に示した従来のＬＥＤバックライト装置１００では、各回路部は個別に接地用端子からケーブルを介してグランド端子に接続する必要があった。しかし、本発明の実施形態１に係るＬＥＤバックライト装置２００を液晶表示装置に用いることにより、液晶表示装置内のグランド配線に関わる構成を簡略化することが可能になる。また、本発明の実施形態１に係るＬＥＤバックライト装置２００では、トランス２０３〜２０５、整流回路２０６〜２０８及びコンデンサＣ１〜Ｃ６により構成される定電流回路にＬＥＤストリングス２０９〜２１４が接続されるため、ＬＥＤストリングス２０９〜２１４のグランド側のインピーダンスが異なっていても一定電流を流すことができ、インピーダンス調整が不要になる。さらに、本発明の実施形態１に係るＬＥＤバックライト装置２００では、トランス２０３〜２０５の一次側巻線と二次側巻線のインダクタンスを同一の交流電流が流れるように調整することにより、ＬＥＤストリングス２０９〜２１４の順方向電圧が異なっていてもほぼ同一の電流を供給することができる。
【００３１】
次に、図１に示したＬＥＤバックライト装置２００の動作をシミュレーションするための回路構成について図２を参照して説明する。図２は、図１に示したＬＥＤバックライト装置２００のインバータ２０２を交流電源４０２に置き換え、ＬＥＤストリングス２０９〜２１４を抵抗負荷Ｒ１〜Ｒ３及びＲ５〜７に置き換えた場合のシミュレーション回路４００の構成を示す図である。
【００３２】
＜回路構成＞
図２において、シミュレーション回路４００は、インバータとしての交流電源４０２と、トランス４０３〜４０５と、整流回路４０６〜４０８と、ＬＥＤストリングスとしての抵抗負荷Ｒ１〜Ｒ３及びＲ５〜７と、コンデンサＣ１〜Ｃ６と、を備える。
【００３３】
交流電源４０２は、所定周波数及び所定振幅の交流電圧Ｖ２をトランス４０３〜４０５の各二次側巻線の一端部に供給する。トランス４０３〜４０５は、図１に示したトランス２０３〜２０５と同様の巻数比を有し、供給された交流電圧Ｖ２により同一の交流電流を整流回路４０６〜４０８に各々出力する。整流回路４０６〜４０８は、各々２つのダイオードＤ１及びＤ４、Ｄ２及びＤ５、Ｄ３及びＤ６から構成されており、トランス４０３〜４０５から各々入力される交流電流を正電流及び負電流に整流する。コンデンサＣ１〜Ｃ６は、整流された正電流及び負電流を各々平滑して直流正電流及び直流負電流として抵抗負荷Ｒ１〜Ｒ６に供給する。
【００３４】
＜回路動作＞
次に、シミュレーション回路４００の動作について、ＬＥＤバックライト装置２００内の各部の信号を図３に示して説明する。図３において、（Ａ）はＬＥＤストリングスとしての抵抗負荷Ｒ１〜Ｒ３及びＲ５〜Ｒ７の各電力損失Ｗ（Ｒ１）〜Ｗ（Ｒ３）及びＷ（Ｒ５）〜Ｗ（Ｒ７）を示し、（Ｂ）はＬＥＤストリングスとしての抵抗負荷Ｒ１〜Ｒ３及びＲ５〜Ｒ７に流れる電流−ｉ（Ｒ１）〜−ｉ（Ｒ３）及びｉ（Ｒ５）〜ｉ（Ｒ７）を示し、（Ｃ）は図３の抵抗Ｒ４に流れる電流を示し、（Ｄ）は各整流回路４０６〜４０８の各出力電圧ｖ（ｏｕｔ１）〜ｖ（ｏｕｔ３）及び−ｖ（ｏｕｔ４）〜−ｖ（ｏｕｔ６）を示す。
【００３５】
ＬＥＤバックライト装置４００のシミュレーション動作では、ＬＥＤストリングスの順方向電圧は、ＬＥＤストリングスのバラツキや温度変化による順方向電圧の変化を考慮して、最大・最小・標準に設定した。また、インバータは、理想的な正弦波電圧発生装置として交流電源４０２とし、交流電源４０２からトランス４０３〜４０５の各二次側巻線に交流電圧を供給するようにした。
【００３６】
図３（Ａ）〜（Ｄ）では、横軸は測定時間を示し、８００μｓ〜１０００μｓの期間の各信号の変化を示している。
【００３７】
図２において、インバータとしての交流電源４０２では、例えば、振幅が２４０Ｖの正弦波交流電圧を発生させている。この正弦波交流電圧によりトランス４０３の一次側巻線に流れる電流ｉ（Ｒ４）は図３（Ｃ）に示すようになった。そして、この正弦波交流電圧によりトランス４０３〜４０５が交流駆動され、同一の交流電流が各整流回路４０６〜４０８に印加されて正電流及び負電流に整流され、各コンデンサＣ１〜Ｃ６により平滑されて直流正電流及び直流負電流がＬＥＤストリングスとしての抵抗負荷Ｒ１〜Ｒ３及びＲ５〜Ｒ７に印加されると、各抵抗負荷Ｒ１〜Ｒ３及びＲ５〜Ｒ７に流れる電流は図３（Ｂ）に示すようになった。
【００３８】
図２のシミュレーション回路４００において、ＬＥＤストリングスとしての抵抗負荷Ｒ１〜Ｒ３及びＲ５〜Ｒ７は、順方向電圧のバラツキをシミュレーションするため、異なる電力損失を設定している。抵抗負荷Ｒ１〜Ｒ３及びＲ５〜Ｒ７の各電力損失は、図３（Ａ）に示すように、抵抗負荷Ｒ１の電力損失ｗ（Ｒ１）が最大の約２７Ｗであり、抵抗負荷Ｒ２、Ｒ５及びＲ７の電力損失ｗ（Ｒ２）、ｗ（Ｒ５）及びｗ（Ｒ７）が標準の約２５Ｗであり、抵抗負荷Ｒ３の電力損失ｗ（Ｒ３）が約２３ｗであり、抵抗負荷Ｒ６の電力損失ｗ（Ｒ６）が最小の約２２ｗである。
【００３９】
そして、整流回路４０６〜４０８から出力される各直流正電流及び各直流負電流がコンデンサＣ１〜Ｃ３により平滑されてＬＥＤストリングスとしての抵抗負荷Ｒ１〜Ｒ３及びＲ５〜Ｒ７に印加される。この時、抵抗負荷Ｒ１〜Ｒ３及びＲ５〜Ｒ７に流れる各電流−ｉ（Ｒ１）〜−ｉ（Ｒ３）及びｉ（Ｒ５）〜ｉ（Ｒ７）は、図３（Ｂ）に示すように１１０ｍＡに収束する結果が得られた。
【００４０】
以上のように、図１に示したＬＥＤバックライト装置２００の動作をシミュレーションするためのシミュレーション回路４００では、ＬＥＤストリングスとしての抵抗負荷Ｒ１〜Ｒ３及びＲ５〜Ｒ７は、順方向電圧のバラツキをシミュレーションするため、異なる電力損失を設定した場合、抵抗負荷Ｒ１〜Ｒ３及びＲ５〜Ｒ７に流れる電流は一定になることを確認した。
【００４１】
したがって、シミュレーション回路４００によるＬＥＤバックライト装置２００のシミュレーション動作によれば、交流電源４０２により駆動されるトランス４０３〜４０５から同一の交流電流が整流回路４０６〜４０８に出力されることにより、ＬＥＤストリングスとしての抵抗負荷Ｒ１〜Ｒ３及びＲ５〜Ｒ７に流れる各電流−ｉ（Ｒ１）〜−ｉ（Ｒ３）及びｉ（Ｒ５）〜ｉ（Ｒ７）が一定になることを確認した。
【００４２】
（実施形態２）
次に、本発明の実施形態２に係るＬＥＤバックライト装置について図４を参照して説明する。実施形態２に係るＬＥＤバックライト装置３００では、トランスの一次側巻線と二次側巻線を互いに逆方向に巻回し、一次側巻線及び二次側巻線に並列にＬＥＤストリングスを接続したことに特徴がある。
【００４３】
＜回路構成＞
図４は、実施形態２に係るＬＥＤバックライト装置の回路構成を示す図である。図４において、ＬＥＤバックライト装置３００は、直流電源３０１と、インバータ３０２と、トランス３０３と、整流回路３０４及び３０５と、ＬＥＤストリングス３０６〜３０９と、コンデンサＣ１〜Ｃ４と、を備える。なお、ＬＥＤバックライト装置３００では、３つのＬＥＤストリングス３０９〜３１１を駆動するための回路構成を示しているが、ＬＥＤストリングスの数は３つより多くても良いし、少なくても良い。すなわち、液晶表示装置のサイズ等に応じてＬＥＤストリングスの数は適宜変更されるため、ＬＥＤバックライト装置３００におけるトランス、整流回路及びコンデンサの各数は適宜変更される。
【００４４】
インバータ３０２は、入力段に直流電源３０１が接続され、出力段にトランス３０３の一次側巻線及び二次側巻線の各一端部が並列に接続されている。インバータ３０２は、直流電源３０１から供給される直流電圧を所定周波数及び所定振幅の交流電圧に変換してトランス３０３に供給する。
【００４５】
トランス３０３は、一次側巻線と二次側巻線が互いに逆方向に巻回され、一次側巻線と二次側巻線の各一端部はインバータ３０２の出力段に並列に接続され、一次側巻線と二次側巻線の各他端部は整流回路３０４及び３０５の各入力段に接続されている。トランス３０３は、一次側巻線と二次側巻線の巻数は同一である。この一次側巻線と二次側巻線の接続形態は、インバータ３０２から供給される交流電流により一次側巻線と二次側巻線に各々発生する磁束が相殺されるようにする接続形態である。また、トランス３０３の各巻数は、ＬＥＤストリングス３０６〜３０９を点灯させる直流電圧値を考慮して設定される。インバータ３０２により交流駆動されるトランス３０３の一次側巻線と二次側巻線に流れる交流電流は同一に制御される。したがって、トランス３０３は、同一の交流電流を整流回路３０４及び３０５に各々出力する。
【００４６】
整流回路３０４及び３０５は、２つのダイオードＤ１及びＤ４、Ｄ２及びＤ３により各々構成される。整流回路３０４の一方のダイオード(第１の整流素子)Ｄ１のアノード電極及び他方のダイオード(第２の整流素子)Ｄ４のカソード電極がトランス３０３の一次側巻線の他端部に接続され、整流回路３０５の一方のダイオード(第１の整流素子)Ｄ２のアノード電極及び他方のダイオード(第２の整流素子)Ｄ３のカソード電極がトランス３０３の二次側巻線の他端部に接続されている。整流回路３０４及び３０５は、トランス３０３から各々入力される交流電流を正電流及び負電流に整流する。
【００４７】
コンデンサ（平滑回路）Ｃ１及びＣ３は、整流された正電流を平滑して直流正電流としてＬＥＤストリングス３０６及び３０８に供給し、コンデンサ（平滑回路）Ｃ２及びＣ４は、整流された負電流を平滑して直流負電流としてＬＥＤストリングス３０７及び３０９に供給する。
【００４８】
ＬＥＤストリングス３０６〜３０９は、各々１２個のＬＥＤが直列に接続されて構成されている。ＬＥＤストリングス(第１のＬＥＤストリングス)３０６及び３０８は各アノード電極が整流回路３０４及び３０５の各ダイオードＤ１及びＤ２のカソード電極とコンデンサＣ１及びＣ３との接続ノードに接続されている。ＬＥＤストリングス(第２のＬＥＤストリングス)３０７及び３０９は各カソード電極が整流回路３０４及び３０５の各ダイオードＤ４及びＤ３のアノード電極とコンデンサＣ２及びＣ４との接続ノードに接続されている。また、ＬＥＤストリングス３０６及び３０８の各カソード電極とＬＥＤストリングス３０７及び３０９の各アノード電極は、共通の接地部に接続されている。ＬＥＤストリングス３０６〜３０９は、各々１２個のＬＥＤを直列接続した構成を示しているが、ＬＥＤの直列接続数は１２個より多くしても良いし、少なくしても良い。すなわち、液晶表示装置のサイズ等に応じてＬＥＤの直列接続数は適宜変更される。
【００４９】
＜回路動作＞
まず、インバータ３０２では、直流電源３０１から供給される直流電圧ＶＩＮが所定周波数及び所定振幅の交流電圧に変換されてトランス３０３の一次側巻線及び二次側巻線の各一端部に供給される。トランス３０３の一次側巻線及び二次側巻線は供給され交流電圧により駆動され、トランス３０３の一次側巻線及び二次側巻線に同一の交流電流が流れる。
【００５０】
トランス３０３では、一次側巻線及び二次側巻線の各他端部に接続された整流回路３０４及び３０５に対して同一の交流電流が出力される。整流回路３０４及び３０５では、トランス３０３から各々入力される交流電流がダイオードＤ１及びＤ４、Ｄ２及びＤ３の各組により正電流と負電流に整流される。コンデンサＣ１〜Ｃ４は、整流回路３０４及び３０５により整流された正電流及び負電流を平滑して直流正電流及び直流負電流としてＬＥＤストリングス３０６〜３０９に供給する。したがって、ＬＥＤストリングス３０６〜３０９には同一の直流正電流と同一の直流負電流が供給されて、ＬＥＤストリングス３０６〜３０９は点灯される。
【００５１】
以上のように、本発明の実施形態２に係るＬＥＤバックライト装置３００では、１つのトランス３０３によりＬＥＤストリングス３０６〜３０９を駆動する回路を構成できるため、回路構成を簡略化することができる。また、１つのインバータ３０２を用いてＬＥＤストリングス３０６〜３０９の駆動に必要な電圧を供給することができる。また、本発明の実施形態２に係るＬＥＤバックライト装置３００では、トランス３０３、整流回路３０４及び３０５、及びコンデンサＣ１〜Ｃ４による定電流出力をＬＥＤストリングス３０６〜３０９の各アノード電極及び各カソード電極に接続するため、ＬＥＤストリングス３０６〜３０９の各カソード電極及び各アノード電極を接地することができる。このため、ＬＥＤストリングス３０６〜３０９の各カソード電極及び各アノード電極を共通のグランドとして、例えば、液晶表示装置の筐体に接続することが容易になり、グランド配線を引き回す必要がなくなる。なお、図９に示した従来のＬＥＤバックライト装置１００では、各回路部は個別に接地用端子からケーブルを介してグランド端子に接続する必要があった。しかし、本発明の実施形態２に係るＬＥＤバックライト装置３００を液晶表示装置に用いることにより、液晶表示装置内のグランド配線に関わる構成を簡略化することが可能になる。さらに、本発明の実施形態２に係るＬＥＤバックライト装置３００では、トランス３０３の一次側巻線及び二次側巻線に同一の交流電流が流れるように構成することにより、ＬＥＤストリングス３０６〜３０９の順方向電圧が異なっていてもほぼ同一の電流を供給することができる。
【００５２】
次に、図４に示したＬＥＤバックライト装置３００の動作をシミュレーションするための回路構成について図５を参照して説明する。図５は、図４に示したＬＥＤバックライト装置３００のインバータ３０２を交流電源５０２に置き換え、ＬＥＤストリングス３０６〜３０９を抵抗負荷Ｒ１〜Ｒ３及びＲ５に置き換えた場合のシミュレーション回路５００の構成を示す図である。
【００５３】
＜回路構成＞
図５において、シミュレーション回路５００は、インバータとしての交流電源５０２と、トランス５０３と、整流回路５０４及び５０５と、ＬＥＤストリングスとしての抵抗負荷Ｒ１〜Ｒ３及びＲ５と、コンデンサＣ１〜Ｃ３及びＣ５と、を備える。
【００５４】
交流電源５０２は、所定周波数及び所定振幅の交流電圧Ｖ２をトランス５０３の一次側巻線と二次側巻線の各一端部に供給する。トランス５０３は、図４に示したトランス３０３と同様の巻数を有し、供給された交流電圧Ｖ２により同一の交流電流を整流回路５０４及び５０５に各々出力する。整流回路５０４及び５０５は、各々２つのダイオードＤ１及びＤ４、Ｄ２及びＤ５から構成されており、トランス５０３から各々入力される交流電流を正電流及び負電流に整流する。コンデンサＣ１〜Ｃ３及びＣ５は、整流された正電流及び負電流を各々平滑して直流正電流及び直流負電流として抵抗負荷Ｒ１〜Ｒ３及びＲ５に供給する。
【００５５】
＜回路動作＞
次に、シミュレーション回路５００の動作について、ＬＥＤバックライト装置５００内の各部の信号を図６に示して説明する。図６において、（Ａ）はＬＥＤストリングスとしての抵抗負荷Ｒ１〜Ｒ３及びＲ５の各電力損失Ｗ（Ｒ１）〜Ｗ（Ｒ３）及びＷ（Ｒ５）を示し、（Ｂ）はＬＥＤストリングスとしての抵抗負荷Ｒ１〜Ｒ３及びＲ５に流れる電流−ｉ（Ｒ１）、−ｉ（Ｒ２）、ｉ（Ｒ３）及びｉ（Ｒ５）を示し、（Ｃ）は各整流回路５０４及び５０５の各出力電圧ｖ（ｏｕｔ１）〜ｖ（ｏｕｔ３）及び−ｖ（ｏｕｔ４）を示す。
【００５６】
ＬＥＤバックライト装置５００のシミュレーション動作では、ＬＥＤストリングスの順方向電圧は、ＬＥＤストリングスのバラツキや温度変化による順方向電圧の変化を考慮して、最大・最小・標準に設定した。また、インバータは、理想的な正弦波電圧発生装置として交流電源５０２とし、交流電源５０２からトランス５０３の一次側巻線及び二次側巻線の各一端部に交流電圧を供給するようにした。
【００５７】
図６（Ａ）〜（Ｄ）では、横軸は測定時間を示し、８００μｓ〜１０００μｓの期間の各信号の変化を示している。
【００５８】
図５において、インバータとしての交流電源５０２では、例えば、振幅が１１０Ｖの正弦波交流電圧を発生させている。この正弦波交流電圧によりトランス５０３が交流駆動され、同一の交流電流が各整流回路５０４及び５０５に印加されて正電流及び負電流に整流され、各コンデンサＣ１〜Ｃ３及びＣ５により平滑されて直流正電流及び直流負電流がＬＥＤストリングスとしての抵抗負荷Ｒ１〜Ｒ３及びＲ５に印加されると、各抵抗負荷Ｒ１〜Ｒ３及びＲ５に流れる電流は図６（Ｂ）に示すようになった。
【００５９】
図５のシミュレーション回路５００において、ＬＥＤストリングスとしての抵抗負荷Ｒ１〜Ｒ３及びＲ５は、順方向電圧のバラツキをシミュレーションするため、異なる電力損失を設定している。抵抗負荷Ｒ１〜Ｒ３及びＲ５の各電力損失は、図６（Ａ）に示すように、抵抗負荷Ｒ５の電力損失ｗ（Ｒ５）が最大の約１３．５Ｗであり、抵抗負荷Ｒ１及びＲ３の電力損失ｗ（Ｒ１）及びｗ（Ｒ３）が標準の約１３．２Ｗであり、抵抗負荷Ｒ２の電力損失ｗ（Ｒ２）が最小の約１２．７ｗである。
【００６０】
そして、整流回路５０４及び５０５から出力される各直流正電流及び各直流負電流がコンデンサＣ１〜Ｃ３及びＣ５により平滑されてＬＥＤストリングスとしての抵抗負荷Ｒ１〜Ｒ３及びＲ５に印加される。この時、抵抗負荷Ｒ１〜Ｒ３及びＲ５に流れる各電流−ｉ（Ｒ１）、−ｉ（Ｒ２）、ｉ（Ｒ３）及びｉ（Ｒ５）は、図６（Ｂ）に示すように１３０ｍＡに収束する結果が得られた。
【００６１】
以上のように、図４に示したＬＥＤバックライト装置３００の動作をシミュレーションするためのシミュレーション回路５００では、ＬＥＤストリングスとしての抵抗負荷Ｒ１〜Ｒ３及びＲ５は、順方向電圧のバラツキをシミュレーションするため、異なる電力損失を設定した場合、抵抗負荷Ｒ１〜Ｒ３及びＲ５に流れる電流は一定になることを確認した。
【００６２】
したがって、シミュレーション回路５００によるＬＥＤバックライト装置３００のシミュレーション動作によれば、交流電源５０２により駆動されるトランス５０３から同一の交流電流が整流回路５０４及び５０５に出力されることにより、ＬＥＤストリングスとしての抵抗負荷Ｒ１〜Ｒ３及びＲ５に流れる各電流−ｉ（Ｒ１）、−ｉ（Ｒ２）、ｉ（Ｒ３）及びｉ（Ｒ５）が一定になることを確認した。
【００６３】
（実施形態３）
次に、上記図１に示したＬＥＤバックライト装置２００を含む液晶表示装置について図７に示すブロック図を参照して説明する。図７に示すように、液晶表示装置９００は、ＡＣ／ＤＣ電源装置９１０と、ＬＣＤモジュール部９２０と、バックライト装置９３０と、を備える。
【００６４】
ＡＣ／ＤＣ電源装置９１０は、コンセント９１１、ＡＣ／ＤＣ整流部９１２、及びＤＣ／ＤＣコンバータ９１３から構成され、外部の商用交流電源電圧１００Ｖ又は２４０Ｖを直流電源電圧に変換してＬＣＤモジュール部９２０に出力する。
【００６５】
ＬＣＤモジュール部９２０は、ＤＣ／ＤＣコンバータ９２１、共通電極電圧発生部（Ｖｃｏｍ発生部）９２２、γ電圧発生部９２３、ＬＣＤパネル部９２４、及びバックライト装置９３０から構成され、外部のグラフィックコントローラ（図示せず）から入力される画像データに応じた画像を表示する。ＬＣＤパネル部９２４は、複数の液晶素子がゲートドライバ部とデータドライバ部から各々伸びる複数のデータ線と複数のゲート線が交差する部分に各々接続されている。複数の液晶素子は、表示画像領域毎に分割されて、その表示画像領域毎に階調が制御される。
【００６６】
共通電極電圧発生部９２２は、ＤＣ／ＤＣコンバータ９２１においてレベル変換されて供給される直流電圧に基づいて共通電極電圧Ｖｃｏｍを発生してＬＣＤパネル部９２４に出力する。
【００６７】
γ電圧発生部９２３は、ＤＣ／ＤＣコンバータ９２１においてレベル変換された直流電圧に基づいてγ電圧Ｖｄｄを発生してＬＣＤパネル部９２４に供給する。図７では、共通電極電圧発生部９２２とγ電圧発生部９２３がＬＣＤパネル部９２４から分離されている例を示したが、これらをＬＣＤパネル部９２４に含ませて構成することもできる。
【００６８】
バックライト装置９３０は、バックライト駆動部９３１及びバックライト部９３２から構成される。バックライト駆動部９３１には、上記図１に示したインバータ２０２、トランス２０３〜２０５、整流回路２０６〜２０８、及びコンデンサＣ１〜Ｃ６が含まれる。バックライト部９３２は、上記図１に示した複数のＬＥＤストリングス２０９〜２１４が含まれる。バックライト部９３２は、入力画像をＬＣＤパネル部９２４に表示する際に、その入力画像の輝度に合わせて階調を制御するため、点灯時間が制御される。また、バックライト駆動部９３１及びバックライト部９３２は、共通のグランドＧＮＤに接続されている。このグランドＧＮＤは、以下の図８に示す収容容器１０８１等の筐体に接続しても良い。
【００６９】
液晶表示装置９００は、バックライト装置９３０内のバックライト駆動部９３１に上述したインバータ２０２、トランス２０３〜２０５、整流回路２０６〜２０８、及びコンデンサＣ１〜Ｃ６を備えたため、バックライト装置９３０は、消費電力を低減できる。なお、ＡＣ／ＤＣ電源装置９１０をＬＣＤモジュール部９２０に内蔵させてもよい。
【００７０】
図８は、実施形態５に係る液晶表示装置の構造を示す分解斜視図である。図８は、液晶表示装置の回路構成ではなく、機構を図示したものである。図８に示すように、液晶表示装置１０００は、バックライトアセンブリ１０１０、ディスプレイユニット１０７０及び収納容器１０８０を備える。
【００７１】
ディスプレイユニット１０７０は、映像を表示する液晶表示パネル１０７１、液晶表示パネル１０７１を駆動するための駆動信号を出力するデータ印刷回路１０７２及びゲート印刷回路１０７３を含む。データ印刷回路１０７２及びゲート印刷回路１０７３は、それぞれデータテープキャリアパッケージ（Ｔａｐｅ  Ｃａｒｒｉｅｒ  Ｐａｃｋａｇｅ、以下、ＴＣＰという）１０７４及びゲートＴＣＰ１０７５を通じて液晶表示パネル１０７１と電気的に連結される。
【００７２】
液晶表示パネル１０７１は、薄膜トランジスタ（以下、ＴＦＴという）基板１０７６、ＴＦＴ基板１０７６に対向して結合されるカラーフィルタ基板１０７７及び両基板１０７６、１０７７の間に介在された液晶１０７８を含む。
【００７３】
ＴＦＴ基板１０７６は、例えば、スイッチング素子であるＴＦＴ（図示せず）がマトリクス状に形成された透明なガラス基板である。ＴＦＴのソース及びゲート端子には、それぞれデータ及びゲートラインが接続され、ドレイン端子には透明な導電性材質からなる共通電極（図示せず）が形成される。
【００７４】
カラーフィルタ基板１０７７は、例えば、色画素であるＲＧＢ画素（図示せず）が薄膜工程によって形成された基板である。カラーフィルタ基板１０７７は、透明な導電性材質からなる共通電極（図示せず）が形成される。
【００７５】
収容容器１０８０は、底面１０８１及び底面１０８１のエッジ部に収納空間を形成するために形成された側壁１０８２により構成される。収容容器１０８０は、バックライトアセンブリ１０１０及び液晶表示パネル１０７１が移動しないように固定する。
【００７６】
底面１０８１は、バックライトアセンブリ１０１０（図７のバックライト部９３２）が装着されるのに十分な底面面積を有し、バックライトアセンブリ１０１０と同じ構成を有することが好ましい。この例では、底面１０８１及びバックライトアセンブリ１０１０は、四角いプレート形状を有する。側壁１０８２は、バックライトアセンブリ１０１０が外部に離脱することのないように底面１０８１のエッジ部から略垂直に延長される。
【００７７】
この例における液晶表示装置１０００は、バックライト駆動部１０６０及びトップシャーシ１０９０をさらに含む。
【００７８】
バックライト駆動部１０６０は、収容容器１０８０の内部に配置され、バックライトアセンブリ１０１０を駆動するための直流電圧を発生させる。バックライト駆動部１０６０から発生された直流電圧は、第１電源印加線１０６３及び第２電源印加線１０６４を通じてバックライトアセンブリ１０１０に印加される。第１電源印加線１０６３及び第２電源印加線１０６４は、バックライトアセンブリ１０１０の両側部に形成された第１電極１０４０ａ及び第２電極１０４０ｂに直接接続してもよいし、別の部材（図示せず）を利用して第１電極１０４０ａ及び第２電極１０４０ｂに接続してもよい。また、バックライトアセンブリ１０１０は、接地用配線１０４１により収容容器１０８０に接地されている。バックライト駆動部１０６０は、収容容器１０８０に収容されることにより、バックライトアセンブリ１０１０と同様に収容容器１０８０に接地される。すなわち、バックライトアセンブリ１０１０とバックライト駆動部１０６０は、共通の収容容器１０８０に接地される。
【００７９】
トップシャーシ１０９０は、液晶表示パネル１０７１のエッジ部を囲みながら収容容器１０８０に結合される。トップシャーシ１０９０を設けることにより、外部からの衝撃に対する液晶表示パネル１０７１の破損を防止し、液晶表示パネル１０７１が収容容器１０８０から離脱することを防止することができる。
【００８０】
この液晶表示装置１０００は、バックライトアセンブリ１０１０から出射される光の特性を向上させるための少なくとも一枚の光学シート１０９５をさらに含んでもよい。光学シート１０９５は、光を拡散するための拡散シート又は光を集光するためのプリズムシートを含んでもよい。
【００８１】
したがって、ＬＥＤバックライト装置２００を備えた液晶表示装置１０００において、バックライト駆動部１０６０に上述したインバータ２０２、トランス２０３〜２０５、整流回路２０６〜２０８、及びコンデンサＣ１〜Ｃ６を備えたため、ＬＥＤバックライト装置の省電力化を図ることが可能になる。また、液晶表示装置１０００には、上記実施形態２のＬＥＤバックライト装置３００を適用してもよい。
【００８２】
なお、上記実施形態１〜実施形態２に示したＬＥＤバックライト装置は、小型サイズや中型サイズの液晶パネルではなく、比較的大型の液晶パネルに適用することが好ましい。
【符号の説明】
【００８３】
２００，３００…ＬＥＤバックライト装置、２０２，３０２…インバータ、２０３〜２０５，３０３…トランス、２０６〜２０８，３０４、３０５…整流回路、２０９〜２１４，３０６〜３０９…ＬＥＤストリングス、４００…シミュレーション回路、Ｃ１〜Ｃ６…コンデンサ、９００…液晶表示装置。
【図１】
2012133907.tif 000003
【図２】
2012133907.tif 000004
【図３】
2012133907.tif 000005
【図４】
2012133907.tif 000006
【図５】
2012133907.tif 000007
【図６】
2012133907.tif 000008
【図８】
2012133907.tif 000009
【図９】
2012133907.tif 000010
【図７】
2012133907.tif 000011